(57)【要約】【課題】プレビュー画像の様々な編集操作を適切に行う。【解決手段】プレビュー画像生成部により、プレビュー画像２１０を生成し、パネル操作制御部により、パネル部１０５にプレビュー画像２１０を表示するメインプレビュー画面２００（第１のプレビュー画面）とサブプレビュー画面２２０（第２のプレビュー画面）とを相互に遷移させて表示させ、システム制御部により、パネル操作制御部に対し、メインプレビュー画面２００（第１のプレビュー画面）とサブプレビュー画面２２０（第２のプレビュー画面）とを相互に遷移させる表示を指示する。これにより、プレビュー画像２１０のページ数が多くなっても、それぞれのプレビュー画像２１０がメインプレビュー画面２００（第１のプレビュー画面）、又はサブプレビュー画面２２０（第２のプレビュー画面）に表示されるので、プレビュー画像２１０を縮小する必要性が軽減される。【選択図】図２
2020009359.tif 000002
【特許請求の範囲】
【請求項１】
パネル部と、
プレビュー画像を生成するプレビュー画像生成部と、
前記パネル部に前記プレビュー画像を表示する第１のプレビュー画面と第２のプレビュー画面とを相互に遷移させて表示させるパネル操作制御部と、
前記パネル操作制御部に対し、前記第１のプレビュー画面と前記第２のプレビュー画面とを相互に遷移させる表示を指示するシステム制御部とを備える
ことを特徴とするプレビュー画像表示装置。
【請求項２】
前記システム制御部は、前記パネル操作制御部が前記第２のプレビュー画面でのタッチ操作による前記プレビュー画像の移動を検知すると、前記パネル操作制御部に対して前記パネル部の表示を前記第２のプレビュー画面から前記第１のプレビュー画面に遷移させるように指示し、
前記パネル操作制御部は、前記タッチ操作されている前記プレビュー画像を前記第１のプレビュー画面に移動させ、前記プレビュー画像の移動位置に合わせ、前記第１のプレビュー画面に表示されている前記プレビュー画像の間に挿入させる
ことを特徴とする請求項１に記載のプレビュー画像表示装置。
【請求項３】
前記プレビュー画像の編集処理を行うプレビュー画像編集部を備え、
前記システム制御部は、前記第１又は第２のプレビュー画面での前記プレビュー画像に対する編集指示に基づき前記プレビュー画像編集部に対して編集処理を指示する
ことを特徴とする請求項１又は２に記載のプレビュー画像表示装置。
【請求項４】
前記システム制御部は、前記パネル部への特定の操作に基づいて、前記第２のプレビュー画面を前記第１のプレビュー画面に機能切替するとともに、前記第１のプレビュー画面を前記第１のプレビュー画面に機能切替する
ことを特徴とする請求項１乃至３の何れかに記載のプレビュー画像表示装置。
【請求項５】
プレビュー画像生成部により、プレビュー画像を生成する工程と、
パネル操作制御部により、パネル部に前記プレビュー画像を表示する第１のプレビュー画面と第２のプレビュー画面とを相互に遷移させて表示させる工程と、
システム制御部により、前記パネル操作制御部に対し、前記第１のプレビュー画面と前記第２のプレビュー画面とを相互に遷移させる表示を指示する工程とを、プレビュー画像表示装置を御するコンピューターに実行させる
ことを特徴とするプレビュー画像表示プログラム。
【発明の詳細な説明】
【技術分野】
【０００１】
本発明は、プレビュー画像の編集に適したプレビュー画像表示装置に関する。
【背景技術】
【０００２】
たとえば、ＭＦＰ(Multifunction Peripheral)等の画像形成装置においては、スキャナーによって読み取った原稿の画像や、印刷ジョブの印刷データ等に基づいたプレビュー画像を表示できるプレビュー機能が搭載されている機種がある。
【０００３】
このようなプレビュー機能に関するものとして、特許文献１では、読み取った原稿の各ページのプレビュー画像を生成するプレビュー画像生成部と、プレビュー画像と共に原稿に更に別の原稿を追加するための次原稿追加ボタンを操作パネルのプレビュー画面上に表示させるユーザーインターフェース処理部と、次原稿追加ボタンが押下されると、スキャンを開始させることで読み取られた追加原稿をプレビュー画像が表示されている原稿に追加する原稿追加処理部とを有する画像形成装置を提案している。
【先行技術文献】
【特許文献】
【０００４】
【特許文献１】特開２０１８−０２６６５８号公報
【発明の概要】
【発明が解決しようとする課題】
【０００５】
上述した特許文献１の画像形成装置では、次原稿追加ボタンを操作することで、原稿追加処理部により、プレビュー画面を閉じることなく、表示されているプレビュー画像に追加原稿のプレビュー画像を追加表示できる。
【０００６】
ところで、特許文献１の画像形成装置では、プレビュー画面に表示されるプレビュー画像のページ数が多いとき、場合によってはプレビュー画像を縮小する必要がある。ところが、プレビュー画像を縮小すると、プレビュー画像の内容確認が困難となり、プレビュー画像の様々な編集操作を適切に行えないことがあるという問題がある。
【０００７】
本発明は、このような状況に鑑みてなされたものであり、上記問題点を解消することができるプレビュー画像表示装置及びプレビュー画像表示プログラムを提供することを目的とする。
【課題を解決するための手段】
【０００８】
本発明のプレビュー画像表示装置は、パネル部と、プレビュー画像を生成するプレビュー画像生成部と、前記パネル部に前記プレビュー画像を表示する第１のプレビュー画面と第２のプレビュー画面とを相互に遷移させて表示させるパネル操作制御部と、前記パネル操作制御部に対し、前記第１のプレビュー画面と前記第２のプレビュー画面とを相互に遷移させる表示を指示するシステム制御部とを備えることを特徴とする。
また、前記システム制御部は、前記パネル操作制御部が前記第２のプレビュー画面でのタッチ操作による前記プレビュー画像の移動を検知すると、前記パネル操作制御部に対して前記パネル部の表示を前記第２のプレビュー画面から前記第１のプレビュー画面に遷移させるように指示し、前記パネル操作制御部は、前記タッチ操作されている前記プレビュー画像を前記第１のプレビュー画面に移動させ、前記プレビュー画像の移動位置に合わせ、前記第１のプレビュー画面に表示されている前記プレビュー画像の間に挿入させることを特徴とする。
また、前記プレビュー画像の編集処理を行うプレビュー画像編集部を備え、前記システム制御部は、前記第１又は第２のプレビュー画面での前記プレビュー画像に対する編集指示に基づき前記プレビュー画像編集部に対して編集処理を指示することを特徴とする。
また、前記システム制御部は、前記パネル部への特定の操作に基づいて、前記第２のプレビュー画面を前記第１のプレビュー画面に機能切替するとともに、前記第１のプレビュー画面を前記第１のプレビュー画面に機能切替することを特徴とする。
本発明のプレビュー画像表示プログラムは、プレビュー画像生成部により、プレビュー画像を生成する工程と、パネル操作制御部により、パネル部に前記プレビュー画像を表示する第１のプレビュー画面と第２のプレビュー画面とを相互に遷移させて表示させる工程と、システム制御部により、前記パネル操作制御部に対し、前記第１のプレビュー画面と前記第２のプレビュー画面とを相互に遷移させる表示を指示する工程とを、プレビュー画像表示装置を御するコンピューターに実行させることを特徴とする。
本発明のプレビュー画像表示装置及びプレビュー画像表示プログラムでは、プレビュー画像のページ数が多くなっても、それぞれのプレビュー画像が第１のプレビュー画面、又は第２のプレビュー画面に表示されるので、プレビュー画像を縮小する必要性が軽減される。
【発明の効果】
【０００９】
本発明のプレビュー画像表示装置によれば、プレビュー画像を縮小する必要性が軽減されるので、プレビュー画像の内容確認が容易となり、プレビュー画像の様々な編集操作を適切に行うことができる。
【図面の簡単な説明】
【００１０】
【図１】本発明のプレビュー画像表示装置をＭＦＰに適用した場合の一実施形態を説明するための図である。
【図２】図１のＭＦＰのパネル部に表示されるプレビュー画面を示すものであって、図２（ａ）はメインプレビュー画面を示す図であり、図２（ｂ）はサブプレビュー画面を示す図である。
【図３】図１のＭＦＰのパネル部に表示されるプレビュー画面の機能切替について説明するものであって、図３（ａ）は機能切替前のメインプレビュー画面を示す図であり、図３（ｂ）はメインプレビュー画面をサブプレビュー画面に切り替えた場合のプレビュー画面を示す図であり、図３（ｃ）はサブプレビュー画面をメインプレビュー画面に切り替えた場合のプレビュー画面を示す図であり、図３（ｄ）は機能切替前のサブプレビュー画面を示す図であり、図３（ｅ）はサブプレビュー画面をメインプレビュー画面に切り替えた場合のプレビュー画面を示す図であり、図３（ｆ）はメインプレビュー画面をサブプレビュー画面に切り替えられた場合のプレビュー画面を示す図である。
【図４】図１のＭＦＰのパネル部に表示されるプレビュー画面でのプレビュー画像の編集について説明するものであって、図４（ａ）はプレビュー画像の移動前のサブプレビュー画面を示す図であり、図４（ｂ）はサブプレビュー画面からメインプレビュー画面にプレビュー画像を移動させた状態を示す図であり、図４（ｃ）はメインプレビュー画面でのプレビュー画像の挿入を示す図であり、図４（ｄ）はプレビュー画像の移動前のサブプレビュー画面を示す図であり、図４（ｅ）はサブプレビュー画面からメインプレビュー画面に別のプレビュー画像を移動させた状態を示す図であり、図４（ｆ）はメインプレビュー画面でのプレビュー画像の挿入を示す図である。
【図５】図１のＭＦＰでのプレビュー画像の編集処理について説明するためのフローチャートである。
【発明を実施するための形態】
【００１１】
以下、本発明のプレビュー画像表示装置の一実施形態を、図１〜図５を参照しながら説明する。なお、以下に説明するプレビュー画像表示装置は、たとえば印刷機能、コピー機能、ＦＡＸ(Facsimile)機能、ネットワーク経由でのデータ送受信機能等の標準搭載機能が組み込まれた複合的な周辺機器であるＭＦＰ(Multifunction Peripheral)であるものとする。
【００１２】
まず、図１に示すように、ＭＦＰ１００は、スキャナー部１０１、プリンター部１０２、ＦＡＸ部１０３、Ｉ／Ｆ（インターフェース）１０４、パネル部１０５及びＨＤＤ(Hard Disk Drive)１０６の動作を制御する制御部１１０を備えている。
【００１３】
スキャナー部１０１は、イメージセンサ（図示省略）によって読み取られる図示しない原稿の画像をデジタルの画像データに変換し、制御部１１０に入力するデバイスである。プリンター部１０２は、制御部１１０から出力される印刷データに基づき、図示しない用紙上に画像を印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００１４】
Ｉ／Ｆ１０４は、図示しないネットワークを介し、他のＭＦＰ１００やユーザー端末等との通信を受け持つ。なお、Ｉ／Ｆ１０４は、図示しないコンテンツサーバーやウェブサーバー等との通信を受け持ってもよい。パネル部１０５は、ＭＦＰ１００の印刷機能、コピー機能、ＦＡＸ機能、ネットワーク経由でのデータ送受信機能や、各種設定のための表示を行うタッチパネル等のデバイスである。ＨＤＤ１０６は、ＭＦＰ１００の種々の機能を提供するためのアプリケーションプログラム等を記憶している不揮発性メモリーデバイスである。また、ＨＤＤ１０６は、たとえばユーザー端末側から登録された印刷ジョブ及びページ記述言語による印刷対応データ等の画像データを記憶するユーザーボックスを有している。
【００１５】
制御部１１０は、認証プログラム等のアプリケーションプログラム、画像形成プログラム、及び制御プログラム等を実行してＭＦＰ１００全体の動作を制御するプロセッサーである。制御部１１０は、スキャナー制御部１１１、プリンター制御部１１２、ＦＡＸ制御部１１３、通信制御部１１４、ＲＡＭ(Random Access Memory)１１５、ＥＥＰＲＯＭ（Electrically Erasable Programmable Read-Only Memory)１１６、画像処理部１１７、プレビュー画像生成部１１８、プレビュー画像編集部１１９、パネル操作制御部１２０、ＨＤＤ制御部１２１、システム制御部１２２を備えている。また、これらは、データバス１２３に接続されている。
【００１６】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、ネットワーク経由でのデータ等の送受信の制御を行う。
【００１７】
揮発性メモリーデバイスであるＲＡＭ１１５は、プログラムを実行するためのワークメモリーである。また、ＲＡＭ１１５は、画像処理部１１７によって画像処理された印刷データを記憶する。ＥＥＰＲＯＭ１１６には、各部の動作チェック等を行う制御プログラムが記憶されている。また、ＥＥＰＲＯＭ１１６には、スキャナー部１０１、プリンター部１０２、ＦＡＸ部１０３、Ｉ／Ｆ（インターフェース）１０４、パネル部１０５及びＨＤＤ１０６等を動作させるためのバージョンデータを含むファームウェアが記憶されている。
【００１８】
画像処理部１１７は、スキャナー部１０１によって読み取られた画像データに対する画像処理（ラスタライズ）を行う。また、画像処理部１１７は、ＨＤＤ１０６のユーザーボックスに登録された印刷対象データに対する画像処理（ラスタライズ）を行う。なお、システム制御部１２２は、画像処理部１１７が画像処理した印刷データを、一旦、ＲＡＭ１１５に記憶させる。プレビュー画像生成部１１８は、スキャナー部１０１が読み取った原稿の画像や、ＨＤＤ１０６のユーザーボックス等に記憶されている印刷ジョブの印刷データ等に基づき、後述の図２（ａ）、（ｂ）のようなプレビュー画像２１０を生成する。プレビュー画像編集部１１９は、たとえば後述の図２（ｂ）に示すサブプレビュー画面２１２０から後述の図２（ａ）に示すメインプレビュー画面２００へ移動させたプレビュー画像２１０と、メインプレビュー画面２００に表示されているプレビュー画像２１０とのページ結合等を行う。また、プレビュー画像編集部１１９は、たとえば後述の図２（ａ）のプレビュー画像２１０や、後述の図２（ｂ）のプレビュー画像に対し、拡大、縮小、コピー、削除等の編集処理を行う。
【００１９】
パネル操作制御部１２０は、パネル部１０５の表示動作を制御する。また、パネル操作制御部１２０は、パネル部１０５上でのタッチ操作を検知する。また、パネル操作制御部１２０は、プレビュー画像生成部１１８が生成したプレビュー画像２１０を、後述の図２（ａ）のメインプレビュー画面２００及び／又は後述の図２（ｂ）のサブプレビュー画面２２０に表示させたりする。また、パネル操作制御部１２０は、パネル部１０５上でのタッチ操作に伴うドラッグ操作等に応じてメインプレビュー画面２００のプレビュー画像２１０、又はサブプレビュー画面２２０のプレビュー画像２１０を、メインプレビュー画面２００からサブプレビュー画面２２０、又はサブプレビュー画面２１０からメインプレビュー画面２００へ移動させる。また、パネル操作制御部１２０は、たとえばサブプレビュー画面２１０からメインプレビュー画面２００へ移動させたプレビュー画像２１０を、プレビュー画像２１０の移動位置に応じて表示中のプレビュー画像２１０に挿入させた内容を表示させる。また、パネル操作制御部１２０は、パネル部１０５を介しての、印刷、コピー、ＦＡＸ、ネットワーク経由でのデータ送受信等の開始等を受け付ける。
【００２０】
システム制御部１２２は、各部の連携動作等を制御する。また、システム制御部１２２は、パネル部１０５を介してコピーや印刷等が選択されると、スキャナー制御部１１１やプリンター制御部１１２を介し、スキャナー部１０１による原稿の読み取りやプリンター部１０２による用紙への印刷を制御する。また、システム制御部１２２は、パネル部１０５を介してプレビュー画像２１０の表示が指示されると、プレビュー画像生成部１１８に対し、スキャナー部１０１が読み取った原稿の画像や、ＨＤＤ１０６のユーザーボックス等に記憶されている印刷ジョブの印刷データ等に基づく、後述の図２（ａ）、（ｂ）のようなプレビュー画像２１０の生成を指示する。また、システム制御部１２２は、プレビュー画像生成部１１８がプレビュー画像２１０を生成すると、パネル操作制御部１２０に対してパネル部１０５へのプレビュー画像生成部１１８が生成したプレビュー画像２１０の表示を指示する。
【００２１】
次に、図２、及び図３を参照し、パネル部１０５に表示されるプレビュー画面について説明する。まず、図２（ａ）は、メインプレビュー画面２００を示している。メインプレビュー画面２００は、たとえばプレビュー画像２１０の表示の最初の指示に基づき、システム制御部１２２がパネル操作制御部１２０を介してパネル部１０５に表示させるプレビュー画面である。なお、メインプレビュー画面２００は、後述のように、サブプレビュー画面２２０に切り替えることも可能である。
【００２２】
メインプレビュー画面２００には、たとえばスキャナー部１０１が読み取った原稿の画像に対するプレビュー画像２１０が表示される。また、メインプレビュー画面２００には、編集ボタン２０１、機能切替ボタン２０２が表示される。ここで、編集ボタン２０１は、たとえばメインプレビュー画面２００に表示される全てのプレビュー画像２１０、又は選択されたプレビュー画像２１０に対し、拡大、縮小、コピー、削除等を行う際に選択する。この場合、たとえば編集ボタン２０１のタッチ操作に伴い、メインプレビュー画面２００に拡大、縮小、コピー、削除等を選択できるポップアップ画面が表示されるようにすると、たとえば選択したプレビュー画像２１０に対するプレビュー画像編集部１１９によっての編集を容易にできる。機能切替ボタン２０２は、詳細については後述するが、タッチ操作により、メインプレビュー画面２００の機能を、後述の図２（ｂ）に示すサブプレビュー画面２２０の機能に切り替える。
【００２３】
ちなみに、図２（ａ）のメインプレビュー画面２００は、たとえばスキャナー部１０１が読み取った原稿の画像に対する、１ページ目（p1）、２ページ目（p2）、４ページ目（p4）、６ページ目（p6）、７ページ目（p7）、８ページ目（p8）のプレビュー画像２１０が表示されていることを示している。言い換えれば、スキャナー部１０１による原稿の３ページ目（p3）、５ページ目（p5）の読み取りが抜けていることを示している。
【００２４】
図２（ｂ）は、サブプレビュー画面２２０を示している。サブプレビュー画面２２０は、たとえばメインプレビュー画面２００の表示中に、たとえばスキャナー部１０１が読み取った原稿のプレビュー画像２１０を表示するプレビュー画面である。なお、サブプレビュー画面２２０は、後述のように、メインプレビュー画面２００に切り替えることも可能である。ここで、サブプレビュー画面２２０には、たとえばスキャナー部１０１が読み取った原稿の画像に対するプレビュー画像２１０が表示される。また、サブプレビュー画面２２０には、上記同様に、編集ボタン２０１、機能切替ボタン２０２が表示される。ここで、編集ボタン２０１は、たとえばサブプレビュー画面２２０に表示される全てのプレビュー画像２１０、又は選択されたプレビュー画像２１０に対し、拡大、縮小、コピー、削除等を行う際に選択する。この場合、上記同様に、たとえば編集ボタン２０１のタッチ操作に伴い、メインプレビュー画面２００に拡大、縮小、コピー、削除等を選択できるポップアップ画面が表示されるようにすると、たとえば選択したプレビュー画像２１０に対するプレビュー画像編集部１１９による編集を容易にできる。機能切替ボタン２０２は、上記同様に、タッチ操作により、サブプレビュー画面２２０の機能を、図２（ａ）のメインプレビュー画面２００の機能に切り替える。ちなみに、図２（ｂ）のサブプレビュー画面２２０は、たとえばスキャナー部１０１が読み取った原稿の画像に対する、３ページ目（p3）、５ページ目（p5）のプレビュー画像２１０が表示されていることを示している。
【００２５】
次に、図３により、上述した機能切替ボタン２０２による機能切替について説明する。まず、図３（ａ）は、機能切替前のメインプレビュー画面２００を示している。ここで、メインプレビュー画面２００の機能切替ボタン２０２をタッチ操作すると、図３（ａ）のメインプレビュー画面２００は図３（ｂ）のように、サブプレビュー画面２２０に切り替えられる。このとき、図２（ｂ）に示したサブプレビュー画面２２０は、図３（ｃ）のように、メインプレビュー画面２００に切り替えられる。なお、メインプレビュー画面２００がサブプレビュー画面２２０に切り替えられ、サブプレビュー画面２２０がメインプレビュー画面２００に切り替えられるとは、上述したように、機能が切り替えられるということである。言い換えると、メインプレビュー画面２００がサブプレビュー画面２２０に切り替えられるとは、メインプレビュー画面２００として機能していた画面がサブプレビュー画面２２０として機能するということである。また、サブプレビュー画面２２０がメインプレビュー画面２００に切り替えられるとは、サブプレビュー画面２２０として機能していた画面がメインプレビュー画面２００として機能するということである。
【００２６】
すなわち、たとえばメインプレビュー画面２００の機能を切り替えるとは、メインプレビュー画面２００（機能切替後のサブプレビュー画面２２０）に表示されているプレビュー画像２１０の内容を変更せずに、プレビュー画像２１０に対する印刷や、編集内容の保存等を優先して実行する機能を停止させることである。すなわち、図３（ａ）のメインプレビュー画面２００は、表示されているプレビュー画像２１０に対する印刷や、編集内容の保存等を優先して実行する機能を有している。これに対し、図２（ｂ）のサブプレビュー画面２２０は、あくまでもメインプレビュー画面２００に対する補助的な機能を有する。ここで、サブプレビュー画面２２０の補助的な機能とは、メインプレビュー画面２００に移動させるプレビュー画像２１０を一旦表示させるが、サブプレビュー画面２２０が閉じられると、サブプレビュー画面２２０に表示されているプレビュー画像２１０のデータは消去されるようなことを意味する。
【００２７】
よって、図３（ａ）のメインプレビュー画面２００は、図３（ｂ）のように、サブプレビュー画面２２０に切り替えられることで、プレビュー画像２１０に対する印刷や、編集内容の保存等の処理の優先が無くなる。これに対し、図２（ｂ）のサブプレビュー画面２２０は、図３（ｃ）のように、メインプレビュー画面２００に切り替えられると、サブプレビュー画面２２０（機能切替後のメインプレビュー画面２００）に表示されているプレビュー画像２１０の内容を変更せずに、プレビュー画像２１０に対する印刷や、編集内容の保存等の処理の優先が付与される。
【００２８】
また、図３（ｄ）のサブプレビュー画面２２０において、機能切替ボタン２０２をタッチ操作すると、図３（ｄ）のサブプレビュー画面２２０は、図３（ｅ）のように、メインプレビュー画面２００に切り替えられる。このとき、図３（ａ）のメインプレビュー画面２００は、図３（ｆ）のように、サブプレビュー画面２２０に切り替えられる。
【００２９】
このように、メインプレビュー画面２００、又はサブプレビュー画面２２０において、機能切替ボタン２０２をタッチ操作することで、それぞれのプレビュー画面の機能を切り替えることができ、プレビュー画面が２画面であっても、それぞれのプレビュー画面に表示されているプレビュー画像２１０に対する印刷や、編集内容の保存等の処理を容易に行える。
【００３０】
次に、図４により、プレビュー画像２１０の移動等の編集の概要について説明する。まず、図４（ａ）は、プレビュー画像２１０の移動前のサブプレビュー画面２２０を示している。このサブプレビュー画面２２０は、上述したように、たとえばメインプレビュー画面２００の表示中に、たとえばスキャナー部１０１が読み取った原稿のプレビュー画像２１０を表示するプレビュー画面である。ここで、サブプレビュー画面２２０には、３ページ目（p3）、５ページ目（p5）のプレビュー画像２１０が表示されている。また、ここで表示されている３ページ目（p3）、５ページ目（p5）のプレビュー画像２１０は、スキャナー部１０１による最初の原稿の読み取りの際に抜けていたものであって、スキャナー部１０１により、再度読み取らせたものである。
【００３１】
そして、たとえば３ページ目（p3）のプレビュー画像２１０をメインプレビュー画面２００に移動させるとする。この場合、パネル部１０５には、サブプレビュー画面２２０のみが表示されているため、３ページ目（p3）のプレビュー画像２１０にタッチした状態で、そのプレビュー画像２１０をたとえば右方向にドラッグさせる。このとき、パネル操作制御部１２０は、プレビュー画像２１０の右方向へのドラッグを検知すると、システム制御部１２２の指示により、図４（ｂ）に示すように、パネル部１０５の表示をサブプレビュー画面２２０をメインプレビュー画面２００に遷移させる。ここでは、プレビュー画像２１０をたとえば右方向にドラッグさせることで、サブプレビュー画面２２０がメインプレビュー画面２００に遷移する場合として説明しているが、この例に限らず、プレビュー画像２１０をたとえば左方向にドラッグさせることで、サブプレビュー画面２２０がメインプレビュー画面２００に遷移するようにしてもよい。なお、画面の遷移とは、上述した機能の切り替えとは異なり、メインプレビュー画面２００（又はサブプレビュー画面２２０）の表示を消して、サブプレビュー画面２２０（又はメインプレビュー画面２００）を表示させることを意味する。
【００３２】
また、図４（ｂ）のメインプレビュー画面２００において、３ページ目（p3）のプレビュー画像２１０を１ページ目（p1）のプレビュー画像２１０の左隣まで移動させた後、さらに４ページ目（p4）のプレビュー画像２１０の左隣まで移動させてドロップする。このとき、パネル操作制御部１２０は、図４（ｃ）のように、２ページ目（p2）のプレビュー画像２１０と４ページ目（p4）のプレビュー画像２１０との間に、サブプレビュー画面２２０から移動させた３ページ目（p3）のプレビュー画像２１０を挿入させるようにメインプレビュー画面２００の表示を変更する。
【００３３】
また、図４（ｃ）のメインプレビュー画面２００において、スワイプにより図４（ｄ）のサブプレビュー画面２２０に戻り、たとえば５ページ目（p5）のプレビュー画像２１０をメインプレビュー画面２００に移動させるとする。この場合、パネル部１０５には、上記同様に、サブプレビュー画面２２０のみが表示されているため、５ページ目（p5）のプレビュー画像２１０にタッチした状態で、そのプレビュー画像２１０をたとえば右方向にドラッグさせる。このとき、パネル操作制御部１２０は、上記同様に、プレビュー画像２１０の右方向へのドラッグを検知すると、システム制御部１２２の指示により、図４（ｅ）に示すように、パネル部１０５の表示をサブプレビュー画面２２０をメインプレビュー画面２００に遷移させる。なお、ここでは、プレビュー画像２１０をたとえば右方向にドラッグさせることで、サブプレビュー画面２２０がメインプレビュー画面２００に遷移する場合として説明しているが、この例に限らず、プレビュー画像２１０をたとえば左方向にドラッグさせることで、サブプレビュー画面２２０がメインプレビュー画面２００に遷移するようにしてもよい。
【００３４】
また、図４（ｅ）のメインプレビュー画面２００において、５ページ目（p5）のプレビュー画像２１０を３ページ目（p3）のプレビュー画像２１０の左隣まで移動させた後、さらに６ページ目（p6）のプレビュー画像２１０の左隣まで移動させてドロップする。このとき、パネル操作制御部１２０は、図４（ｆ）のように、４ページ目（p4）のプレビュー画像２１０と６ページ目（p6）のプレビュー画像２１０との間に、サブプレビュー画面２２０から移動させた５ページ目（p5）のプレビュー画像２１０を挿入させるようにメインプレビュー画面２００の表示を変更する。
【００３５】
次に、図５を参照し、ＭＦＰ１００でのプレビュー画像２１０の編集処理について説明する。なお、以下では、スキャナー部１０１によって読み取った原稿の画像に基づいたプレビュー画像２１０を編集する場合として説明する。
【００３６】
（ステップＳ１０１）
システム制御部１２２は、原稿の読み取りが指示されたかどうかを判断する。
この場合、システム制御部１２２は、パネル操作制御部１２０からパネル部１０５を介しての原稿の読み取り指示を受け付けたことを示す通知が無ければ原稿の読み取りが指示されないと判断する（ステップＳ１０１：Ｎｏ）。
これに対し、システム制御部１２２は、パネル操作制御部１２０からパネル部１０５を介しての原稿の読み取り指示を受け付けたことを示す通知が有れば原稿の読み取りが指示されたと判断し（ステップＳ１０１：Ｙｅｓ）、ステップＳ１０２に移行する。
【００３７】
（ステップＳ１０２）
システム制御部１２２は、スキャナー制御部１１１に対して原稿の読み取りを指示する。
このとき、スキャナー制御部１１１は、スキャナー部１０１を制御し、原稿を読み取らせる。
システム制御部１２２は、スキャナー部１０１が読み取った原稿の画像をＲＡＭ１１５に記憶させる。
【００３８】
（ステップＳ１０３）
システム制御部１２２は、原稿の読み取りが完了したかどうかを判断する。
この場合、システム制御部１２２は、スキャナー制御部１１１からのスキャナー部１０１による原稿の読み取りが完了したことを示す通知が無ければ原稿の読み取りが完了していないと判断する（ステップＳ１０３：Ｎｏ）。
これに対し、システム制御部１２２は、スキャナー制御部１１１からのスキャナー部１０１による原稿の読み取りが完了したことを示す通知が有れば原稿の読み取りが完了したと判断し（ステップＳ１０３：Ｙｅｓ）、ステップＳ１０４に移行する。
【００３９】
（ステップＳ１０４）
システム制御部１２２は、プレビューが指示されたかどうかを判断する。
この場合、システム制御部１２２は、パネル操作制御部１２０からパネル部１０５を介してのプレビューの指示を受け付けたことを示す通知が無ければプレビューが指示されないと判断する（ステップＳ１０４：Ｎｏ）。
これに対し、システム制御部１２２は、パネル操作制御部１２０からパネル部１０５を介してのプレビューの指示を受け付けたことを示す通知が有ればプレビューが指示されたと判断し（ステップＳ１０４：Ｙｅｓ）、ステップＳ１０５に移行する。
【００４０】
（ステップＳ１０５）
システム制御部１２２は、メインプレビュー画面２００へのプレビュー画像２１０の表示を指示する。
この場合、システム制御部１２２は、プレビュー画像生成部１１８に対してスキャナー部１０１が読み取った原稿の画像のプレビュー画像の生成を指示する。
また、システム制御部１２２は、パネル操作制御部１２０に対してプレビュー画像生成部１１８が生成したプレビュー画像２１０の表示を指示する。
【００４１】
（ステップＳ１０６）
システム制御部１２２は、原稿の読み取りが指示されたかどうかを判断する。
この場合、システム制御部１２２は、パネル操作制御部１２０からパネル部１０５を介しての原稿の読み取り指示を受け付けたことを示す通知が無ければ原稿の読み取りが指示されないと判断する（ステップＳ１０６：Ｎｏ）。
これに対し、システム制御部１２２は、パネル操作制御部１２０からパネル部１０５を介しての原稿の読み取り指示を受け付けたことを示す通知が有れば原稿の読み取りが指示されたと判断し（ステップＳ１０６：Ｙｅｓ）、ステップＳ１０７に移行する。
【００４２】
（ステップＳ１０７）
システム制御部１２２は、スキャナー制御部１１１に対して原稿の読み取りを指示する。
このとき、スキャナー制御部１１１は、スキャナー部１０１を制御し、原稿を読み取らせる。
システム制御部１２２は、スキャナー部１０１が読み取った原稿の画像をＲＡＭ１１５に記憶させる。
【００４３】
（ステップＳ１０８）
システム制御部１２２は、パネル操作制御部１２０に対してサブプレビュー画面２２０の表示を指示する。
このとき、パネル操作制御部１２０は、パネル部１０５に表示されているメインプレビュー画面２００をサブプレビュー画面２２０に遷移させて表示させる。
ここで、サブプレビュー画面２２０に表示させるための原稿の画像の読み取りが完了していないため、サブプレビュー画面２２０にはプレビュー画像２１０が表示されない。
【００４４】
（ステップＳ１０９）
システム制御部１２２は、原稿の読み取りが完了したかどうかを判断する。
この場合、システム制御部１２２は、スキャナー制御部１１１からのスキャナー部１０１による原稿の読み取りが完了したことを示す通知が無ければ原稿の読み取りが完了していないと判断する（ステップＳ１０９：Ｎｏ）。
これに対し、システム制御部１２２は、スキャナー制御部１１１からのスキャナー部１０１による原稿の読み取りが完了したことを示す通知が有れば原稿の読み取りが完了したと判断し（ステップＳ１０９：Ｙｅｓ）、ステップＳ１１０に移行する。
【００４５】
（ステップＳ１１０）
システム制御部１２２は、パネル操作制御部１２０に対してサブプレビュー画面２２０へのプレビュー画像２１０の表示を指示する。
この場合、システム制御部１２２は、プレビュー画像生成部１１８に対してスキャナー部１０１が再度読み取った原稿の画像のプレビュー画像の生成を指示する。
また、システム制御部１２２は、パネル操作制御部１２０に対してプレビュー画像生成部１１８が生成したプレビュー画像２１０の表示を指示する。
【００４６】
（ステップＳ１１１）
システム制御部１２２は、プレビュー画像２１０の編集操作が有るかどうかを判断する。  この場合、システム制御部１２２は、パネル操作制御部１２０からパネル部１０５を介してのサブプレビュー画面２２０でのプレビュー画像２１０の移動、又は編集ボタン２０１のタッチ操作を受け付けたことを示す通知が無ければプレビュー画像２１０の編集操作が無いと判断し、処理を終了する（ステップＳ１１１：Ｎｏ）。
ここで、プレビュー画像２１０の編集操作が無い場合としては、サブプレビュー画面２２０をそのまま閉じてしまったことが想定される。
これに対し、システム制御部１２２は、パネル操作制御部１２０からパネル部１０５を介してのサブプレビュー画面２２０でのプレビュー画像２１０の移動、又は編集ボタン２０１のタッチ操作を受け付けたことを示す通知が有ればプレビュー画像２１０の編集操作が有ると判断し（ステップＳ１１１：Ｙｅｓ）、ステップＳ１１２に移行する。
【００４７】
（ステップＳ１１２）
システム制御部１２２は、プレビュー画像２１０のメインプレビュー画面２００への移動かどうかを判断する。
この場合、システム制御部１２２は、パネル操作制御部１２０がたとえば図３（ｄ）で説明したように、機能切替ボタン２０２がタッチ操作されてサブプレビュー画面２２０を図３（ｅ）のように、メインプレビュー画面２００に切り替えたとき、プレビュー画像２１０のメインプレビュー画面２００への移動ではないと判断する（ステップＳ１１２：Ｎｏ）。
これに対し、システム制御部１２２は、パネル操作制御部１２０がたとえば図４（ａ）で説明したように、たとえば３ページ目（p3）のプレビュー画像２１０がタッチした状態で、たとえば右方向にドラッグされたことを示す通知が有ると、プレビュー画像２１０のメインプレビュー画面２００への移動であると判断し（ステップＳ１１２：Ｙｅｓ）、ステップＳ１１３に移行する。
【００４８】
（ステップＳ１１３）
システム制御部１２２は、パネル操作制御部１２０に対してプレビュー画像２１０の並びの編集を指示する。
この場合、パネル操作制御部１２０は、たとえば図４（ｂ）のメインプレビュー画面２００において、３ページ目（p3）のプレビュー画像２１０が１ページ目（p1）のプレビュー画像２１０の左隣まで移動させられ後、さらに４ページ目（p4）のプレビュー画像２１０の左隣まで移動させてドロップされたとする。
このとき、パネル操作制御部１２０は、図４（ｃ）のように、２ページ目（p2）のプレビュー画像２１０と４ページ目（p4）のプレビュー画像２１０との間に、サブプレビュー画面２２０から移動させた３ページ目（p3）のプレビュー画像２１０を挿入させるようにメインプレビュー画面２００の表示を変更する。
また、図４（ｃ）のメインプレビュー画面２００において、スワイプにより図４（ｄ）のサブプレビュー画面２２０に戻り、たとえば５ページ目（p5）のプレビュー画像２１０をメインプレビュー画面２００に移動したとする。
この場合、パネル操作制御部１２０は、たとえば図４（ｃ）のメインプレビュー画面２００において、５ページ目（p5）のプレビュー画像２１０が３ページ目（p3）のプレビュー画像２１０の左隣まで移動させられた後、さらに６ページ目（p6）のプレビュー画像２１０の左隣まで移動させてドロップされたとする。
このとき、パネル操作制御部１２０は、図４（ｆ）のように、４ページ目（p4）のプレビュー画像２１０と６ページ目（p6）のプレビュー画像２１０との間に、サブプレビュー画面２２０から移動させた５ページ目（p5）のプレビュー画像２１０を挿入させるようにメインプレビュー画面２００の表示を変更する。
【００４９】
このように、本実施形態では、プレビュー画像生成部１１８により、プレビュー画像２１０を生成し、パネル操作制御部１２０により、パネル部１０５にプレビュー画像２１０を表示するメインプレビュー画面２００（第１のプレビュー画面）とサブプレビュー画面２２０（第２のプレビュー画面）とを相互に遷移させて表示させ、システム制御部１２２により、パネル操作制御部１２０に対し、メインプレビュー画面２００（第１のプレビュー画面）とサブプレビュー画面２２０（第２のプレビュー画面）とを相互に遷移させる表示を指示する。
【００５０】
これにより、プレビュー画像２１０のページ数が多くなっても、それぞれのプレビュー画像２１０がメインプレビュー画面２００（第１のプレビュー画面）、又はサブプレビュー画面２２０（第２のプレビュー画面）に表示されるので、プレビュー画像２１０を縮小する必要性が軽減されることから、プレビュー画像２１０の内容確認が容易となり、プレビュー画像２１０の様々な編集操作を適切に行うことができる。
【００５１】
また、メインプレビュー画面２００とサブプレビュー画面２２０とのそれぞれにプレビュー画像２１０を表示させ、サブプレビュー画面２２０のプレビュー画像２１０をメインプレビュー画面２００に移動させることで、メインプレビュー画面２００にプレビュー画像２１０を追加できるので、メインプレビュー画面２００へのプレビュー画像２１０の追加編集が容易となる。
【００５２】
また、たとえばメインプレビュー画面２００のプレビュー画像２１０をサブプレビュー画面２２０に移動させることで、メインプレビュー画面２００でのプレビュー画像２１０の削除が容易となる。この場合、サブプレビュー画面２２０から削除したプレビュー画像２１０を移動させることで、削除したプレビュー画像２１０を戻せることから、プレビュー画像生成部１１８による削除したプレビュー画像２１０の再生成等の操作が不要となる。
【００５３】
また、メインプレビュー画面２００、及びサブプレビュー画面２２０に機能切替ボタン２０２を設けているので、表示されているプレビュー画像２１０の内容を変えずに、プレビュー画像２１０に対する印刷や、編集内容の保存等を優先して実行する機能を変更できる。
【符号の説明】
【００５４】
１００  ＭＦＰ
１０１  スキャナー部
１０２  プリンター部
１０３  ＦＡＸ部
１０４  Ｉ／Ｆ
１０５  パネル部
１０６  ＨＤＤ
１１０  制御部
１１１  スキャナー制御部
１１２  プリンター制御部
１１３  ＦＡＸ制御部
１１４  通信制御部
１１５  ＲＡＭ
１１６  ＥＥＰＲＯＭ
１１７  画像処理部
１１８  プレビュー画像生成部
１１９  プレビュー画像編集部
１２０  パネル操作制御部
１２１  ＨＤＤ制御部
１２２  システム制御部
１２３  データバス
２００  メインプレビュー画面
２０１  編集ボタン
２０２  機能切替ボタン
２１０  サブプレビュー画面
２１０  プレビュー画像
２２０  サブプレビュー画面
【図１】
2020009359.tif 000003
【図２】
2020009359.tif 000004
【図３】
2020009359.tif 000005
【図４】
2020009359.tif 000006
【図５】
2020009359.tif 000007